(57)【要約】【課題】本発明は無線音響受信装置に関し、利便性の良い音響提供サービスを実現する。【解決手段】所望の音響信号を要求するサービス要求信号を送信する無線送信手段（５）と、サービス要求信号に対応して送信される音響信号が含まれる送信信号を受信する無線受信手段（５）と、無線受信手段から出力される受信信号に復調及び又は復号処理を施して音響信号を復元する復調復号手段（５及び６）と、復調復号手段によつて復元された音響信号を音波に変換して出力する電気音響変換手段（６）とを設けるようにした。これにより音響信号が記録された記録媒体を持たずとも、所望の音響信号を容易に得ることができ、利便性が良い音響提供サービスを実現し得る。【選択図】        図２
2006333525.tif 000002
【特許請求の範囲】
【請求項１】
サーバに記録されたデータに対応するデータコードを記録する記憶手段と、
上記データコードに対応するデータを、上記サーバに要求する時刻を指定する時間情報を登録するタイマと、
上記記憶手段に記憶された上記データコードを、上記データを要求する信号として上記サービスセンタに送信する送信手段と、
上記データコードに応じて上記サービスセンタから送信される、上記データコードに対応するデータを受信する受信手段と、
上記タイマに登録された上記時間情報に応じて、上記データコードに対応するデータの要求を送信するように上記送信手段を制御する制御手段と
を具えることを特徴とする受信装置。
【請求項２】
上記タイマは、
所望の時刻でなる上記時間情報を登録できる
ことを特徴とする請求項１に記載の受信装置。
【請求項３】
上記制御手段は、
上記タイマに登録された上記時間情報に応じた時刻になったとき、上記送信手段が送信した上記データコードに応じて上記サービスセンタから送信される、上記データコードに対応するデータを、自動的に受信するように上記受信手段を制御する
ことを特徴とする請求項１に記載の受信装置。
【請求項４】
上記データを出力する出力手段を備え、
上記制御手段は、
上記受信手段により上記データコードに対応するデータを受信したとき、当該データコードに対応するデータを出力するように上記出力手段を制御する
ことを特徴とする請求項１に記載の受信装置。
【請求項５】
上記データは、
音楽、ニュース、株式情報及び天気予報の中の少なくとも１つを含む
ことを特徴とする請求項１に記載のデータ受信装置。
【請求項６】
サーバに記録されたデータに対応するデータコードを記録する記憶手段と、
上記データコードに対応するデータを、上記サーバに要求する時刻を指定する時間情報を登録するタイマと、
上記記憶手段に記憶された上記データコードを、上記データを要求する信号として上記サービスセンタに送信する送信手段と、
上記データコードに応じて上記サービスセンタから送信される、上記データコードに対応するデータを受信する受信手段と、
上記タイマに登録された上記時間情報に応じて、上記データコードに対応するデータの要求を送信するように上記送信手段を制御する制御手段と
を具えることを特徴とする携帯電話機器。
【請求項７】
サーバに記録されたデータに対応するデータコードを記憶手段に記録する第１のステップと、
上記データコードに対応するデータを、上記サーバに要求する時刻を指定する時間情報をタイマに登録する第２のステップと、
上記記憶手段に記憶された上記データコードを、上記データを要求する信号として上記サービスセンタに送信する第３のステップと、
上記データコードに応じて上記サービスセンタから送信される、上記データコードに対応するデータを受信する第４ステップと、
上記タイマに登録された上記時間情報に応じて、上記データコードに対応するデータの要求を送信するように送信を制御する第５のステップと
を具えることを特徴とする受信方法。
【発明の詳細な説明】
【技術分野】
【０００１】
本発明は無線情報通信方法及びその装置に関し、例えば無線回線を介して音楽データを受信する音響受信装置に適用して好適なものである。
【背景技術】
【０００２】
近年、移動中において音楽やその他の情報を聞くといつたことが頻繁に行われている。例えば小型ラジオ装置や、カセツトテープ、ミニデイスク又はコンパクトデイスク等の記録媒体を装備したヘツドホンステレオ装置等を携帯し、これらの装置を使用して通勤電車の中でラジオ放送や音楽等を聞くといつたことが広く行われている。また自動車で移動している最中においても、カーラジオ装置を使用してラジオ放送を聞いたり、或いはカーオーデイオ装置を使用してカセツトテープ、ミニデイスク又はコンパクトデイスク等の記録媒体に記録されている音楽を再生して聞くといつたことが行われている。
【発明の開示】
【発明が解決しようとする課題】
【０００３】
ところでかかる従来の移動しながらの情報入手方法においては、ユーザにとつて使い勝手が未だ不十分のところがある。例えばラジオ放送の場合には、一般公衆向けの放送であるが故に、個人の情報や音楽の嗜好を反映させることができず、聞きたくも無い話や曲を聞かなければならないといつた不都合がある。また記録媒体から音楽を再生する方法では、音楽等、聴取内容については個人の嗜好を反映させることができるが、記録媒体を購入したり或いは編集したりする必要があり、時間や経費或いは労力や保管場所等が必要になるといつた不都合があると共に、せつかく記録媒体を作成又は購入してもすぐに時代に取り残されてしまい、同じものを何度も聞いて聞き飽きてしまうといつた不都合がある。
【０００４】
このような問題を解決する方法として、本出願人は特願平8-207433号においてＰＨＳ（パーソナル・ハンデイホン・システムいわゆる簡易型携帯電話システム）等の無線電話を用いて情報・音楽サービスを提供する方法を提案しており、この方法によれば上述した欠点を全て解消することができ、個人の嗜好を反映した情報提供サービスを記録媒体が無くても実現することができる。
【０００５】
しかしながらＰＨＳ等の無線電話回線は、通常のコンパクトデイスクやミニデイスク等の記録媒体を使用した音楽再生方法に比較して再生周波数帯域が狭い上、さらに常に通信状態が良いとは限らないといつた問題がある。このため無線電話回線を使用した音楽提供方法は、記録媒体からの再生による方法に比べて音質的に劣ると共に、フエージング等の種々の擾乱により高速な伝送レートを安定して得ることができない問題がある。上述した特願平8-207433号においては、この点について、回線状態に応じて周波数特性を切り換えたり或いは信号出力方式をステレオからモノラルに切り換えたりすることにより対処しているが、回線状態に応じて音質やサービス内容が変わることに他ならず、ユーザから見れば利便性の点において未だ不十分なところがある。
【０００６】
本発明は以上の点を考慮してなされたもので、一段と利便性が向上した無線情報通信方法及びその装置を提案しようとするものである。
【課題を解決するための手段】
【０００７】
かかる課題を解決するため本発明においては、所望の音響信号を要求するサービス要求信号を送信し、サービス要求信号に対応して送信される音響信号が含まれる送信信号を受信し、受信した受信信号に復調及び又は復号処理を施して音響信号を復元し、復元した音響信号を音波に変換して出力するようにした。
【０００８】
このようにしてサービス要求信号を送信し、それに対応して送信された音響信号を受信して出力するようにしたことにより、音響信号が記録された記録媒体を持たなくても、ユーザが希望する音響信号を容易に得ることができる。また送信側で音響信号に所定の変調及び又は符号化処理を施しておいて、これを受信側で復調及び又は復号処理するようにしたことにより、回線状態が変化しても、高音質の音響信号を安定に得ることができる。
【０００９】
また本発明においては、所望の音響信号を要求するサービス要求信号を送信し、サービス要求信号に対応して送信される音響信号が含まれる送信信号を受信し、受信した受信信号に復調及び又は復号処理を施して音響信号を復元し、復元した音響信号を再変調して再送信するようにした。
【００１０】
このようにして受信した音響信号に再変調を施して再送信するようにしたことにより、音響信号を出力するための素子と音響信号を受信するための装置とをケーブルで接続しなくても良くなり、使い勝手を向上し得る。
【００１１】
また本発明においては、所望の音響信号を要求するサービス要求信号を送信し、サービス要求信号に対応して送信される音響信号が含まれる送信信号を受信し、受信した受信信号に復調及び又は復号処理を施して音響信号を復元し、復元された音響信号を所定の電気音響変換素子を使用して音波に変換して出力し、通話時には声帯の振動を電気音響変換素子によつて検出して音声信号を生成して送信すると共に、通信相手からの音声信号を受信して電気音響変換素子から出力するようにした。
【００１２】
このように受信した音響信号を出力するための電気音響変換素子を、通話時には音声を集音するマイクロホンとして使用することにより、１つの素子を兼用し得、使い勝手を向上し得る。
【００１３】
また本発明においては、入力信号を情報源符号化すると共に、入力信号の特徴情報を抽出し、情報源符号化による出力データを特徴情報を利用してベクトル量子化し、ベクトル量子化による出力信号を変調して端末装置に送信し、端末装置からの送信信号を受信し、受信した受信信号に復調及び又は復号処理を施して端末装置から送信されたデータを復元し、当該データの内容に基づいて入力信号の内容を変更するようにした。
【００１４】
このように端末装置から送信されたデータの内容に基づいて、入力信号の内容を変更するようにしたことにより、端末装置が所望する入力信号を容易に送信することができる。
【００１５】
また本発明においては、端末装置からの要求信号を受信し、要求信号が第１の種類の信号であつたときには送信側で予め定められた所定の順番で楽曲を送信し、要求信号が第２の種類の信号であつたときには所定の曲群の中から任意の楽曲を選択して送信するようにした。
【００１６】
このように要求信号が第１の種類の信号であつたときには送信側で予め定められた所定の順番で楽曲を送信し、要求信号が第２の種類の信号であつたときには所定の曲群の中から任意の楽曲を選択して送信するようにしたことにより、要求信号の種類に応じて所望の楽曲を提供することができる。
【００１７】
また本発明においては、端末装置からの要求信号を受信し、要求信号が第１の種類の信号であつたときには送信側で予め定められた所定の順番で楽曲を送信し、要求信号が第２の種類の信号であつたときには端末装置側で定めた楽曲を送信するようにした。
【００１８】
このように要求信号が第１の種類の信号であつたときには送信側で予め定められた所定の順番で楽曲を送信し、要求信号が第２の種類の信号であつたときには端末装置側で定めた楽曲を送信するようにしたことにより、要求信号の種類に応じて所望の楽曲を提供することができる。
【００１９】
また本発明においては、要求信号に対応した音楽信号を受信し、受信した受信信号から音楽信号と共に送信された付加情報を抽出し、付加情報のうち第１の種類の付加情報と第２の種類の付加情報とを選択的に表示するようにした。
【００２０】
このように要求信号に対応した音楽信号を受信し、受信した受信信号から音楽信号と共に送信された付加情報を抽出し、付加情報のうち第１の種類の付加情報と第２の種類の付加情報とを選択的に表示するようにしたことにより、音楽信号と共に送信された付加情報を選択的に確認することができ、使い勝手を向上し得る。
【００２１】
また本発明においては、操作入力に応じて仮想カーソルが２次元の仮想情報テーブル上を移動することにより当該仮想カーソルが位置するところの情報を表示し、確定指示が入力されると、仮想カーソルが位置するところの情報を選択するようにした。
【００２２】
このように操作入力に応じて仮想カーソルが２次元の仮想情報テーブル上を移動することにより当該仮想カーソルが位置するところの情報を表示し、確定指示が入力されると、仮想カーソルが位置するところの情報を選択するようにしたことにより、容易に所望の情報を選択することができる。
【００２３】
また本発明においては、操作入力に応じて仮想カーソルが２次元の文字表上を移動することにより当該仮想カーソルが位置するところの文字を表示し、確定指示が入力されると、仮想カーソルが位置するところの文字を選択して入力するようにした。
【００２４】
このように操作入力に応じて仮想カーソルが２次元の文字表上を移動することにより当該仮想カーソルが位置するところの文字を表示し、確定指示が入力されると、仮想カーソルが位置するところの文字を選択して入力するようにしたことにより、容易に所望の文字を入力することができる。
【００２５】
また本発明においては、楽曲データ指定用データ構造において、楽曲名と、楽曲に付与された楽曲コードとを対とした単位データを少なくとも１つ以上有し、その単位データを所望の順番で並べて、当該順番によつて楽曲の時系列的順番を規定するようにした。
【００２６】
このように楽曲名と、楽曲に付与された楽曲コードとを対とした単位データを所望の順番で並べ、その順番によつて楽曲の時系列的順番を規定するようにしたことにより、楽曲名と楽曲コードとを容易に把握し得ると共に、楽曲順序までも容易に把握し得る。
【００２７】
また本発明においては、通信回線を利用した楽曲指定方法において、楽曲指定のための粗情報を所定の通信回線を介して送信し、粗情報に該当する楽曲リストを通信回線を介して受信し、楽曲リストの中から所望の楽曲を指定し、当該指定された楽曲を示す情報を通信回線を介して送信するようにした。
【００２８】
このように楽曲指定のための粗情報を所定の通信回線を介して送信し、粗情報に該当する楽曲リストを通信回線を介して受信し、楽曲リストの中から所望の楽曲を指定し、当該指定された楽曲を示す情報を通信回線を介して送信するようにしたことにより、通信相手側にある楽曲を通信回線を介して容易に指定することができる。
【発明の効果】
【００２９】
上述のように本発明によれば、サービス要求信号を送信し、それに対応して送信された音響信号を受信して出力するようにしたことにより、音響信号が記録された記録媒体を持たなくても、ユーザが希望する音響信号を容易に得ることができる。また送信側で音響信号に所定の変調及び又は符号化処理を施しておいて、これを受信側で復調及び又は復号処理するようにしたことにより、回線状態が変化しても、高音質の音響信号を安定に得ることができる。かくして一段と利便性を向上した上で音響信号を提供することができる。
【００３０】
また受信した音響信号に再変調を施して再送信するようにしたことにより、音響信号を出力するための素子と音響信号を受信するための装置とをケーブルで接続しなくても良くなり、使い勝手を向上し得る。
【００３１】
また受信した音響信号を出力するための電気音響変換素子を、通話時には音声信号を生成する素子として使用することにより、１つの素子を兼用し得、使い勝手を向上し得る。
【００３２】
また端末装置から送信されたデータの内容に基づいて、送信する入力信号の内容を変更するようにしたことにより、端末装置が所望する入力信号を容易に送信することができる。
【００３３】
また要求信号が第１の種類の信号であつたときには送信側で予め定められた所定の順番で楽曲を送信し、要求信号が第２の種類の信号であつたときには所定の曲群の中から任意の楽曲を選択して送信するようにしたことにより、要求信号の種類に応じて所望の楽曲を提供することができる。
【００３４】
また要求信号が第１の種類の信号であつたときには送信側で予め定められた所定の順番で楽曲を送信し、要求信号が第２の種類の信号であつたときには端末装置側で定めた楽曲を送信するようにしたことにより、要求信号の種類に応じて所望の楽曲を提供することができる。
【００３５】
また要求信号に対応した音楽信号を受信し、受信した受信信号から音楽信号と共に送信された付加情報を抽出し、付加情報のうち第１の種類の付加情報と第２の種類の付加情報とを選択的に表示するようにしたことにより、音楽信号と共に送信された付加情報を選択的に確認することができ、使い勝手を向上し得る。
【００３６】
また操作入力に応じて仮想カーソルが２次元の仮想情報テーブル上を移動することにより当該仮想カーソルが位置するところの情報を表示し、確定指示が入力されると、仮想カーソルが位置するところの情報を選択するようにしたことにより、容易に所望の情報を選択することができる。
【００３７】
また操作入力に応じて仮想カーソルが２次元の文字表上を移動することにより当該仮想カーソルが位置するところの文字を表示し、確定指示が入力されると、仮想カーソルが位置するところの文字を選択して入力するようにしたことにより、容易に所望の文字を入力することができる。
【００３８】
また楽曲名と、楽曲に付与された楽曲コードとを対とした単位データを所望の順番で並べ、その順番によつて楽曲の時系列的順番を規定するようにしたことにより、楽曲名と楽曲コードとを容易に把握し得ると共に、楽曲順序までも容易に把握し得る。
【００３９】
また楽曲指定のための粗情報を所定の通信回線を介して送信し、粗情報に該当する楽曲リストを通信回線を介して受信し、楽曲リストの中から所望の楽曲を指定し、当該指定された楽曲を示す情報を通信回線を介して送信するようにしたことにより、通信相手側にある楽曲を通信回線を介して容易に指定することができる。
【発明を実施するための最良の形態】
【００４０】
以下図面について、本発明の実施の形態を詳述する。
【００４１】
（１）第１の実施の形態
（１−１）音楽提供サービスシステムの構成
図１において、１は全体として本発明を適用した音楽提供サービスシステムを示し、大きく分けてサービスセンタ２、ＰＨＳ基地局３及び音響受信装置４によつて構成される。サービスセンタ２は提供する音楽信号の発信元であり、音響受信装置４を有したユーザが希望する楽曲の音楽信号をＰＨＳ基地局３に送信する。ＰＨＳ基地局３はＰＨＳ（パーソナル・ハンデイホン・システムいわゆる簡易型携帯電話システム）の基地局装置であり、サービスセンタ２から供給される音楽信号をＰＨＳの無線回線を介して送信する。
【００４２】
音響受信装置４はＰＨＳの電話端末装置に音楽提供サービスを受けるための構成を付加した装置であり、ＰＨＳ基地局３から送信される音楽信号を受信してこれを電気音響変換手段を介して出力する。これにより音響受信装置４を有するユーザは、サービスセンタ２が提供する音楽信号を受信して聴取することができ、ミニデイスクやコンパクトデイスク等といつた記録媒体を持たずに所望の音楽を聞くことができる。
【００４３】
因みに、音楽提供サービスを受ける際には、始めに音響受信装置４から楽曲の種類等を示すサービス要求信号をＰＨＳの無線回線を介してＰＨＳ基地局３に送信する。これを受けたＰＨＳ基地局３はそのサービス要求信号をサービスセンタ２に転送する。これによりサービスセンタ２では、そのサービス要求信号を基にユーザが希望する楽曲を把握し得、その楽曲の音楽信号を再生して発信することができる。
【００４４】
（１−２）音響受信装置の全体構成
図２において、４は全体として本発明による音響受信装置を示し、大きく分けて送受信部５、音響入出力部６、表示部７、記憶部８、操作部９及び制御部１０によつて構成される。
【００４５】
送受信部５はＰＨＳの規格に準拠した無線送受信部であり、通話のための音声信号をＰＨＳの無線回線を介してＰＨＳ基地局３と送受信したり、或いは音楽提供サービスとしてＰＨＳの無線回線を介してＰＨＳ基地局３から送信される音楽信号を受信したりする回路ブロツクである。
【００４６】
音響入出力部６は送受信部５に対する音声信号及び音楽信号の入出力インターフエイスであり、マイクロホンによつて通話のための音声信号を集音したり、スピーカによつて通話相手からの音声信号を出力したりすると共に、音楽提供サービスとして受信した音楽信号をステレオ対応のスピーカやイヤホン等を介して出力するようになされている。
【００４７】
表示部７は例えば液晶デイスプレイからなり、音響受信装置４を電話端末として使用しているときには通話相手や自局の電話番号、相手先名、或いは電波受信状態や電池状態等といつた各種データを表示すると共に、音楽提供サービスを受けているときには楽曲の題名や歌詞等といつたデータ（このデータは音楽信号と共にサービスセンタ２から送信される）を表示するようになされている。
【００４８】
また記憶部８は例えばメモリからなり、短縮ダイヤルとして登録された電話番号や電話帳リストとして登録された相手先名及び電話番号、或いは自局の電話番号等といつた電話端末として必要な各種データと、音楽提供サービスを受けるのに当たつて必要な楽曲コードや曲順等の各種データを記憶するようになされている。また操作部９は例えばテンキーやその他の操作子によつて構成され、当該テンキーやその他の操作子を介してこの音響受信装置４に対するユーザからの動作指令（具体的には、電話をかけたり受けたりするときの動作指令や音楽提供サービスを受けるときの動作指令）を入力し得るようになされている。
【００４９】
制御部１０はこの音響受信装置４の全体動作を制御するための制御ブロツクであり、データバス１１を介して各部に制御データを供給して各部の動作を制御するようになされている。また制御部１０はデータバス１１を介して記憶部８に各種データを記憶又は当該記憶部８から各種データを読み出したり、或いはデータバス１１を介して操作部９から入力された動作指令を示す制御データを受け、それに基づいた動作制御を行うようになされている。
【００５０】
ここでこのような構成を有する音響受信装置４の実際の使用形態例を図３に示す。この図３に示す例では、音響受信装置４を電池によつて駆動するようにしたことにより、音響受信装置４を携帯して使用することができるようになつている。この場合、ユーザ１２は音響受信装置４を携帯用ケース等を使用してベルト等に固定した上で、上述した音楽信号送出用の電気音響変換手段としてステレオ対応のイヤホン１３を使用することにより受信した音楽信号を聴取する。これによりユーザ１２は、屋外を移動しながらでも、ほぼ手ぶら感覚で所望の音楽を聞くことができる。
【００５１】
なお、この例では、上述した操作部９を音響受信装置４の本体だけに設けるのではなく、当該操作部９をリモート操作子１４としてイヤホン１３のケーブル上（すなわち電気音響変換手段と音響受信装置４を接続するケーブル上）にも配置しており、これによりユーザ１２は音楽提供サービスを受ける際の操作を手元で行うことができ、わざわざ音響受信装置４の本体に配された操作部９を操作しなくても音楽提供サービスを受けることができるようになされている。因みに、リモート操作子１４には、操作部９だけでなく、本体に設けられた表示部７と同様の表示部７が一体形成されており、これにより後述するような受信する音響信号に関連する情報を本体の表示部７を見なくても、リモート操作子１４を操作しながら見ることができるようになつている。
【００５２】
（１−３）送受信部の構成
続いてこの項では上述した送受信部５について具体的に説明する。図４に示すように、送受信部５は無線送信部５Ａ及び無線受信部５Ｂを有しており、この無線送信部５Ａ及び無線受信部５ＢによつてＰＨＳの無線回線を介してデータの送受信を行うようになされている。
【００５３】
この送受信部５においては、例えば通話時、音響入出力部６のマイクロホン２０によつて入力された音声信号Ｓ１を音声信号処理回路２１を介して受けるようになされている。この場合、マイクロホン２０は音響電気変換素子からなり、集音したユーザ１２の音声波を音響電気変換処理により電気的な音声信号Ｓ１に変換する。また音声信号処理回路２１は入力される音声信号Ｓ１に対してＡＤＰＣＭ（Adaptive Differential Pulse Code Modulation ：適応差分型パルスコード変調）の符号化方式に基づいた所定の符号化処理を行い、その結果得られる符号化音声データＳ２を送受信部５に出力する。
【００５４】
送受信部５ではこの符号化音声データＳ２を時分割多重回路２２に入力する。ＰＨＳの無線回線はＴＤＭＡ／ＴＤＤ方式（Time Division Multiple Access ／Time Division Duplex：時分割多元接続／時分割二重通信方式）を採用しており、予め自局に割り当てられたタイムスロツトのタイミングで送信と受信を交互に行うようになされている。このためこの送受信部５では、時分割多重回路２２が設けられており、この時分割多重回路２２によつて自局に割り当てられた送信スロツトに送信データを格納すると共に、自局に割り当てられた受信スロツトから受信データを取り出すようになされている。
【００５５】
時分割多重回路２２は音声信号処理回路２１から供給される符号化音声データＳ２を自局に割り当てられた送信スロツトに格納することにより送信バーストデータＳ３を生成し、これを変調回路２３に出力する。変調回路２３は入力される送信バーストデータＳ３に例えばＱＰＳＫ変調（Quadrature Phase Shift Keying ：４相位相変調）による変調処理を施してベースバンド帯域の送信信号Ｓ４を生成し、これをミキサ回路２４に出力する。因みに、送信バーストデータＳ３がバースト的な信号であることからこの送信信号Ｓ４も同じくバースト的な信号である。
【００５６】
ミキサ回路２４は周波数シンセサイザ２５から供給されるローカル信号Ｓ５を送信信号Ｓ４に乗算することにより当該送信信号Ｓ４を 1.9〔GHz〕帯の送信信号Ｓ６に周波数変換し、その送信信号Ｓ６をＲＦフイルタ２６に出力する。因みに、周波数シンセサイザ２５は温度補償型水晶発振器（ＴＣＸＯ）２７から出力される発振出力Ｓ７に基づいて所望周波数のローカル信号Ｓ５を生成するようになされている。これによりミキサ回路２４では、その所望周波数のローカル信号Ｓ５を使用して所望周波数の送信信号Ｓ６を生成することができる。
【００５７】
ミキサ回路２４から出力される送信信号Ｓ６は、ＲＦフイルタ２６によつて当該送信信号Ｓ６に含まれる不要成分が除去された後、ＲＦ増幅器２８によつて所定電力に増幅され、アンテナ共用器２９を介してアンテナ３０に供給される。これによりアンテナ３０から音声信号Ｓ１に応じた送信信号Ｓ６が送信される。
【００５８】
一方、アンテナ３０によつて受信された 1.9〔GHz〕帯の受信信号Ｓ８はアンテナ共用器２９によつて送信信号Ｓ６から分離された後、ＲＦ増幅器３１によつて増幅され、ＲＦフイルタ３２に入力される。因みに、ここまでの説明から分かるように、アンテナ共用器３０は送信信号Ｓ６と受信信号Ｓ８とを分離する回路であり、このアンテナ共用器３０を設けることにより１つのアンテナ３０を送信と受信で共用して使用し得るようになされている。
【００５９】
ＲＦフイルタ３２は受信信号Ｓ８に含まれる不要成分を除去して後段のミキサ回路３３に出力する。ミキサ回路３３は周波数シンセサイザ２５から供給されるローカル信号Ｓ９を受信信号Ｓ８に乗算することにより当該受信信号Ｓ８を例えば243.95又248.45〔MHz〕の第１中間周波信号Ｓ１０に周波数変換し、その第１中間周波信号Ｓ１０を第１ＩＦフイルタ３４に出力する。因みに、この場合、ＲＦフイルタ３２によつて受信信号Ｓ８に含まれる不要成分を除去していることによりミキサ回路３３で周波数変換処理を行つたときに混変調歪みの発生を未然に防止し得る。
【００６０】
第１ＩＦフイルタ３４は第１中間周波信号Ｓ１０に含まれる不要成分を除去して増幅器３５に出力する。増幅器３５は第１中間周波信号Ｓ１０を所定電力に増幅した後、これをミキサ回路３６に出力する。ミキサ回路３６はローカル発振器３７から供給される所定周波数のローカル信号Ｓ１１を第１中間周波信号Ｓ１０に乗算することにより当該第１中間周波信号Ｓ１０を例えば10.7〔MHz〕の第２中間周波信号Ｓ１２に周波数変換し、これを第２ＩＦフイルタ３８に出力する。
【００６１】
このようにして生成された第２中間周波信号Ｓ１２は第２ＩＦフイルタ３８によつて不要成分が除去された後、増幅器３９によつて所定電力に増幅され、復調回路４０に供給される。復調回路４０は第２中間周波信号Ｓ１２に対して送信側に対応する復調処理（例えばＱＰＳＫ復調処理）を施すことにより当該第２中間周波信号Ｓ１２から受信バーストデータＳ１３を復元し、これを時分割多重回路２２に出力する。
【００６２】
時分割多重回路２２は受信スロツトに対応してバースト状に形成された受信バーストデータＳ１３から符号化音声データＳ１４を取り出し、これを音声信号処理回路２１に出力する。音声信号処理回路２１は入力される符号化音声データＳ１４に対してＡＤＰＣＭの符号化方式に対応した復号化処理を施すことにより当該符号化音声データＳ１４から音声信号Ｓ１５を復元し、これをスピーカ４１に出力する。
【００６３】
スピーカ４１は電気音響変換素子からなり、入力される音声信号Ｓ１５に電気音響変換処理を施すことにより当該音声信号Ｓ１５を音波波に変換して出力する。これにより通話相手の音声をスピーカ４１を介して聞くことができる。
【００６４】
これに対して音声以外のデータ（例えば制御データ等）を送信する場合には、音響入出力部６のデータ入力端子４２に入力されるデータをデータ処理回路４３に入力してここで所定の符号化処理を施し、その結果得られる符号化データＳ１７を送受信部５の時分割多重回路２２に入力する。時分割多重回路２２は、上述した符号化音声データＳ２と同様に、符号化データＳ１７を自局に割り当てられた送信スロツトに格納することにより送信バーストデータＳ３を生成し、これを変調回路２３に出力する。これにより音声データ以外のデータも同様にして送信することができる。
【００６５】
また音声以外のデータ（例えば音楽提供サービスによる音楽データ等）を受信した場合には、時分割多重回路２２は、上述の場合と同様に、受信バーストデータＳ１３から符号化データＳ１８を取り出し、その符号化データＳ１８をデータ処理回路４３に出力する。データ処理回路４３はこの符号化データＳ１８に送信側に対応した所定の復号化処理を施すことにより受信データを復元し、これをデータ出力端子４４を介して出力する。これにより音声以外のデータも受信して出力することができる。
【００６６】
（１−４）音響入出力部の構成
続いてこの項では音響入出力部６の具体的構成を説明する。図５に示すように、音響入出力部６においては、制御部１０から出力されるサービス要求信号Ｓ２０をデータ入力端子４２を介してデータ処理回路４３に入力し得るようになされている。このサービス要求信号Ｓ２０は上述したように符号化処理された後、送受信部５を介してＰＨＳ基地局３に送信される。これにより音楽提供サービスを受けたいことをＰＨＳ基地局３を介して音楽発信元であるサービスセンタ２に送ることができる。
【００６７】
このサービス要求信号Ｓ２０に応じてサービスセンタ２が送出した音楽信号（この音楽信号は当該音楽信号に付随する付加情報も含む）は、上述した送受信部５を介して受信され、符号化データＳ１８としてデータ処理回路４３に入力される。データ処理回路４３はこの符号化データＳ１８に所定の復号化処理を施すことにより音楽データ等によつて構成される受信パケツトデータＳ２１を復元し、これをデータ出力端子４４を介して受信パケツト処理部４５に出力する。
【００６８】
受信パケツト処理部４５は受信パケツトデータＳ２１から楽曲の題名や歌詞等の付加情報を分離し、これを画像データＳ２２として上述したデータバス１１を介して表示部７に送出する。これによりこの音響受信装置４では、音楽信号に付随する付加情報を表示部７に表示することができる。また受信パケツト処理部４５は、受信パケツトデータＳ２１から音楽データＳ２３を分離してこれを音響出力部４６に出力する。
【００６９】
音響出力部４６は音声データＳ２３からステレオ方式の右側音楽信号Ｓ２４Ｒ及び左側音楽信号Ｓ２４Ｌを取り出し、これをそれぞれ出力端子４８に接続されたイヤホン１３の右側電気音響変換素子４７Ｒ及び左側電気音響変換素子４７Ｌに出力する。これによりユーザ１２は、イヤホン１３を介してステレオ音響の音楽を聴取することができる。因みに、出力端子４８に接続されるイヤホン１３としては、いわゆるハイフアイ仕様のものであつて周波数特性の良いものが使用されており、これにより音質の良い音楽を聴取し得、音楽の鑑賞価値を高めることができるようになされている。
【００７０】
（１−５）ＰＨＳ基地局の構成
ここで音楽信号を送信するＰＨＳ基地局３の構成を説明する。但し、ここでは音楽信号を送信するための回路ブロツクについてのみ説明する。ＰＨＳ基地局３は、図６に示すように、送信データ処理部５０、送受信部５１、アンテナ５２及び受信データ処理部５３を有している。因みに、送信データ処理部５０及び受信データ処理部５３は必ずしもＰＨＳ基地局３に搭載される必要はなく、場合によつては音楽信号の発信元であるサービスセンタ２に搭載されることもある。なお、サービスセンタ２に搭載される場合には、送信データ処理部５０及び受信データ処理部５３は有線回線を介してＰＨＳ基地局３に接続される。
【００７１】
サービスセンタ２から出力される音楽信号は所定のアナログデイジタル変換回路（図示せず）を介してデイジタル化された後、音楽データＳ３０としてデータ入力端子５４を介して送信データ処理部５０に入力される。因みに、この音楽データＳ３０は音楽そのものだけでなく、その音楽に付随する付加情報（例えば楽曲の題名や歌詞等）も含んでいる。送信データ処理部５０においては、この音楽データＳ３０を離散コサイン変換回路（ＤＣＴ）５５及び特徴情報抽出回路５６に入力するようになされている。
【００７２】
離散コサイン変換回路５５は情報源符号化のための回路であり、入力される音声データＳ３０に離散コサイン変換を施し、その結果得られる変換音声データＳ３１をインターリーブ回路５７及び特徴情報抽出回路５６に出力する。因みに、離散コサイン変換とは、入力データを予め用意された周波数成分の異なる複数の基底ベクトルと係数（一般にはＤＣＴ係数と呼ばれる）との乗算によつて表し、その係数を変換データとして出力する処理であり、これにより入力データのデータ量を減らすような処理である。
【００７３】
特徴情報抽出回路５６は、音声データＳ３０及び変換音声データＳ３１の両方、或いは音声データＳ３０又は変換音声データＳ３１のいずれか一方から信号が有する特徴を抽出し、その特徴情報Ｓ３２を重み関数生成回路５８に出力する。因みに、ここで言う特徴とは、周波数成分や信号波形パターン等、その信号が独自に持つ特徴である。
【００７４】
重み関数生成回路５８は入力される特徴情報Ｓ３２を基に重み関数Ｓ３３を生成し、これを後述するベクトル量子化回路５９に出力する。因みに、重み関数Ｓ３３は送信対象のデータそのものではなく、そのデータの特徴を表すデータであるので副情報と呼ばれる。
【００７５】
一方、インターリーブ回路５７は入力される変換音声データＳ３１のデータ順序を所定の順序で並び換え、その結果得られる変換音声データＳ３４をベクトル量子化回路５９に出力する。因みに、このようにデータ順序を並び換えることにより、伝送路の劣化によつてバーストエラーが発生したとき、これを分散してエラー訂正し得、伝送路が劣化した場合でも良好にデータ伝送を行うことができる。またインターリーブ回路５７から出力される変換音声データＳ３４は、送信対象のデータそのものであるので、副情報としての重み関数Ｓ３３に対して主情報と呼ばれる。
【００７６】
ベクトル量子化回路５９は、内部に予め用意されたコードブツクを使つて、入力される重み関数Ｓ３３及び変換音声データＳ３４にベクトル量子化を施し、その結果得られる量子化データＳ３５を符号化回路６０に出力する。因みに、ベクトル量子化とは、コードブツクとして用意された代表ベクトルの中から入力データを表す最適な代表ベクトルを検出し、その代表ベクトルを表すコードを量子化するものであり、入力データのデータ量を大幅に低減し得るものである。
【００７７】
符号化回路６０は入力される量子化データＳ３５に対して誤り訂正のための符号化処理を施し、その結果得られる送信データＳ３６を送受信部５１に出力する。なお、ベクトル量子化回路５９においては、変換音声データＳ３４を量子化する際に重み関数Ｓ３３が示す特徴情報を利用して量子化処理を行うので、変換音声データＳ３４を良好に量子化する上では重み関数Ｓ３３が重要な役割を果たすことになる。このため重み関数Ｓ３３は忠実に入力データの特徴を表していなければならないし、また重み関数Ｓ３３は確実に伝送されなければならない。そのため符号化回路６０では、重み関数Ｓ３３（副情報）のデータ部分に対しては変換音声データＳ３４（主情報）のデータ部分よりも強力な誤り訂正処理を施すようになされている。
【００７８】
送受信部５１は上述した音響受信装置４の送受信部５とほぼ同様の構成を有しており、入力される送信データＳ３６に例えばＱＰＳＫ変調による所定の変調処理を施した後、周波数変換処理を施して送信信号Ｓ３７を生成し、これをアンテナ５２を介して送信する。これによりサービスセンタ２から出力された音楽信号がＰＨＳの無線回線を介して送信されることになる。
【００７９】
一方、音響受信装置４から送信されたサービス要求信号Ｓ２０が重畳された送信信号Ｓ６はアンテナ５２によつて受信され、受信信号Ｓ３８として送受信部５１に入力される。送受信部５１はこの受信信号Ｓ３８に周波数変換を施して中間周波信号を取り出した後、その中間周波信号に復調処理を施して受信データＳ３９を復元し、これを受信データ処理部５３に出力する。
【００８０】
受信データ処理部５３は、受信データＳ３９に所定の復号化処理を施すことにより上述したサービス要求信号Ｓ２０を復元し、これを制御信号Ｓ４０としてサービスセンタ２に送出する。これにより音響受信装置４が音楽提供サービスを要求していることをサービスセンタ２に通達することができる。なお、受信データ処理部５３で行う復号化処理としては、音響受信装置４のデータ処理回路４３で行つた符号化処理に対応した復号化処理である。
【００８１】
（１−６）音響受信装置のデータ処理回路の構成
続いてこの項では上述した音響受信装置４のデータ処理回路４３について説明する。上述したデータ処理回路４３は、図７に示すようなデータ復号ブロツク６２を有しており、このデータ復号ブロツク６２によつてＰＨＳ基地局３から送られる音楽データを復号化処理するようになされている。
【００８２】
このデータ復号ブロツク６２においては、送受信部５の時分割多重回路２２から出力される符号化データＳ１８をまず復号化回路６３に入力する。この復号化回路６３は入力される符号化データＳ１８に誤り訂正処理を施して当該データに含まれる誤りを訂正した後、主情報のデータＳ５０と副情報のデータＳ５１とをそれぞれ分離抽出し、抽出した主情報のデータＳ５０、副情報のデータＳ５１をそれぞれデインターリーブ回路６４、特徴情報復元回路６５に出力する。
【００８３】
デインターリーブ回路６４は送信側のインターリーブ回路５７で行つたデータ順序の並び換えを元に戻し、その結果得られる主情報のデータＳ５２を情報復元回路６６に出力する。一方、特徴情報復元回路６５は入力される副情報のデータＳ５１から特徴情報Ｓ５３を復元してこれを情報復元回路６６に出力する。
【００８４】
情報復元回路６６は入力される特徴情報Ｓ５３を利用して主情報のデータＳ５２の復元処理を行うことにより当該主情報のデータＳ５２から送信側の変換データＳ３１（すなわちＤＣＴ変換されたデータ）に対応する復元データＳ５４を復元し、これを離散コサイン逆変換回路（ＩＤＣＴ）６７に出力する。離散コサイン逆変換回路６７は情報源復号化のための回路であり、入力される復元データＳ５４に対して離散コサイン逆変換処理を施すことにより送信側の音楽データＳ３０に対応する音楽データＳ２１を復元し、これを上述したように受信パケツト処理部４５に出力する。
【００８５】
このようにしてこの音響提供サービスシステム１においては、送信側で音楽データＳ３０に離散コサイン変換処理やベクトル量子化処理を施し、受信側ではその逆処理を行つて送信された音楽データＳ２１を復元するようにしたことにより、回線状態が変化した場合でも、送信された音楽データＳ２１を良好かつ確実に復元し得る。また送信時、音楽データＳ３０に対して離散コサイン変換処理やベクトル量子化処理を施すようにしたことにより、送信するデータ量を減らして効率良くデータ伝送することができる。
【００８６】
（１−７）音楽提供サービスを受ける際の操作及び表示
続いてこの項では音響受信装置４を使用して音楽提供サービスを受ける際の操作及びそのときの表示部７の表示例について説明する。まず音響受信装置４の操作部９を使用して所定の操作を行うと、図８に示すように、音楽提供サービスのメニユー画面が表示部７に表示される。なお、このメニユー画面のデータは予め記憶部８に記憶されており、そのデータを読出して表示部７に供給することにより図８に示すようなメニユー画面が表示される。
【００８７】
このメニユー画面においては、全部で１０個のモードが用意されており、それらのモードを示す項目名と項目番号がそれぞれ表示される。１番目から３番目のモード、すなわち「最新ベストテン（Ｊ−ＰＯＰ）」、「最新ベストテン（ロツク）」、「最新ベストテン（演歌）」は各ジヤンルのうち最新のヒツト曲として定められた１０曲を下位又は上位から順に聞くことができるモードである。
【００８８】
また４番目から６番目のモード、すなわち「ランダムピツクアツプ（90年代）」、「ランダムピツクアツプ（80年代）」、「ランダムピツクアツプ（60〜70年代）」は各年代の曲の中からランダムに選ばれた曲を聞くことができるモードである。また７番目から９番目のモード、すなわち「ジヤズランダム」、「クラツシツクランダム」、「レゲエランダム」は各ジヤンルの曲の中からランダムに選ばれた曲を聞くことができるモードである。
【００８９】
因みに、４〜６番目及び７〜９番目のモードにおいては、ユーザ側が曲を選定するのではなく、サービスセンタ２が曲を選定するようになされている。具体的には、サービスセンタ２は各分野毎に分類された楽曲群の中から乱数等を用いて任意の曲を選定し、その曲を提供する。その際、サービスセンタ２は過去所定時間（例えばその当日の朝から現在まで或いは前日の朝から現在まで）の間にユーザが聞いた曲を記憶しておき、その曲を除いた楽曲群の中から任意の曲を選ぶようになされている。これにより一度聞いた楽曲と同じ曲がすぐさま選択されることを防止し得ると共に、所定時間経過すればその楽曲を再び選択することができる。このようにした理由は、同じ曲を立て続けに聞きたくないというユーザ心理に合わせたサービスを提供するためである。
【００９０】
最後に、１０番目のモードすなわち「プログラムモード」はユーザが選定した楽曲をサービスセンタ２に通知してその楽曲を聞くことができるモードである。このモードの場合には、１曲だけを指定して聞くこともできるし、また複数曲を順番を指定して聞くこともできる。
【００９１】
このようなメニユー画面の中から所望のモードを指定して音楽提供サービスを開始するときには、ユーザは希望するモードの項目番号を操作部９のテンキーを使用して入力する。この操作により、その希望したモードに対応したサービス要求信号Ｓ２０がサービスセンタ２に向けて送信される。これによりサービスセンタ２ではユーザが希望するモードを把握し得、ユーザが希望するモードの音楽提供サービスを開始し得る。なお、「プログラムモード」の場合には、楽曲の選定が必要になるので項目番号を入力しただけではサービス要求信号Ｓ２０は送信されず、後述する曲選定処理が終了した後に当該サービス要求信号Ｓ２０が送信される。
【００９２】
また上述したように音楽提供サービスのモードとしては、大きく分けて予めサービスセンタ側で決められいる楽曲を順に送出するモード（第１から第３番目のモード）と、サービスセンタ側で予め用意されている楽曲群の中からランダムに選んで送出するモード（第４から第９のモード）と、ユーザ側から指定された楽曲をサービスセンタ側が送出するモード（第１０番目のモード）とに分けられることから、サービス要求信号Ｓ２０としても大きく分けて３種類に分けられる。
【００９３】
ここで実際に音楽提供サービスが開始されると、音響受信装置４の表示部７には図９に示すような表示画面が表示される。すなわち図９に示すように、通常モードとして曲名表示画面が表示される。この場合、表示部７の上段に表示されている「ハイウエイ○×△」は現在聴取している楽曲の題名を示しており、その下段に表示されている「デイープ△×□」はその楽曲の歌手名又は演奏者名を示している。なお、楽曲がクラツシツク音楽の場合には、演奏者名と共に作曲者名が表示される。これは、クラツシツク音楽の場合には、演奏者が知りたいというよりもその作曲者が知りたいという要望が強いためである。
【００９４】
また楽曲名の前後に表示される音符記号「♪」は、現在表示されている画面が曲名表示画面であることを示すマークである。このような音符記号を表示するようにしたことにより、ユーザは現在表示されている画面が曲名表示画面であることを容易に知り得る。
【００９５】
表示部７の中央にある「next」の下段に表示されている「１７××」は次に演奏される予定の楽曲の題名を示し、その隣の「森高○○」は次の楽曲の歌手名又は演奏者名を示している。因みに、この次曲名表示は設定により表示を解除し得るようになされている。これは、特にランダムモード（上述した第１から第９番目のモード）の場合には、次に何が演奏されるか分からないことが楽しみの１つでもあるので、このようなユーザ心理を反映させた運用形態を実現するためである。
【００９６】
また表示部７の最下段にはサブメニユーが表示される。このサブメニユー内において表示される「０→メニユー」は、テンキーから「０」を入力すると図８に示したようなモード設定のためのメニユー画面に表示が切り換わることを示している。また「１→次曲」は、テンキーから「１」を入力すると現在演奏している楽曲を停止して次の楽曲の演奏を開始することを示している。また「２→歌詞」は、テンキーから「２」を入力すると曲名表示画面から次に説明するような歌詞表示画面に切り換わることを示している。
【００９７】
因みに、この曲名表示画面において表示される楽曲の題名や歌手名、或いは次の楽曲の題名や歌手名のデータは、サービスセンタ２から音楽データと共に送信された付加情報から抽出したものである。またサブメニユーに示すように「１」を入力した場合には、次曲演奏の開始を要求するサービス要求信号Ｓ２０が送信される。これによりサービスセンタ２では現在流している音楽データの送出を停止して次曲の音楽データの送出を開始する。なお、サブメニユーには表示されていないが、音楽提供サービスを受けている最中に通話終了キーを押すと、ＰＨＳの無線回線が切られるので、音楽提供サービスが自動的に停止する。
【００９８】
ここでサブメニユーに示されるように、テンキーから「２」を入力すると、表示部７には、図１０に示すような歌詞表示画面が表示される。この場合、画面の上段に表示される本マーク記号は現在表示されている画面が歌詞表示画面であることを示している。このような本マーク記号を表示するようにしたことにより、ユーザは現在表示されている画面が歌詞表示画面であることを容易に知り得る。
【００９９】
またこの本マーク記号の隣又は下段には、現在演奏されている楽曲の歌詞が表示される。この歌詞表示は、曲進行に合わせて表示形態（例えば色、ハツチング又は点滅等）が変わるようになされており、これにより現在どの部分まで曲が進んでいるかを容易に知り得るようになされている。
【０１００】
さらにこの歌詞表示の下段には、曲名表示画面と同様に、サブメニユーが表示される。サブメニユーにおける「０→曲名表示」はテンキーから「０」を入力すると図９に示した曲名表示画面に戻ることを示しており、「１→次曲」はテンキーから「１」を入力すると現在演奏中の曲を停止して次の曲を開始することを示している。
【０１０１】
一方、図８に示したメニユー画面において「プログラムモード」を示す項目番号「０」を入力すると、図１１（Ａ）に示すようなプログラムモードの画面が表示部７に表示される。この画面の右側に表示されている矢印記号及び数字は、テンキーから「５」を入力すると、仮想文字テーブル上において仮想カーソルが上方向に移動することを示しており、同様に「０」を入力すると仮想カーソルが下方に、「７」を入力すると仮想カーソルが左方向に、「９」を入力すると仮想カーソルが右方向に移動することを示している。
【０１０２】
具体的には、図１１（Ｂ）に示すように、仮想文字テーブルＴＢは５０音の仮名文字をあいうえお順に２次元的に並べた、いわゆる５０音表によつて構成されており、「５」を入力すると「お」段から「あ」段の方向に向かつて仮想カーソルＫが移動し、「０」を入力すると逆に「あ」段から「お」段の方向に向かつて仮想カーソルＫが移動し、「７」を入力すると「あ」行から「ん」行の方向に向かつて仮想カーソルＫが移動し、「９」を入力すると逆に「ん」行から「あ」行の方向に向かつて仮想カーソルＫが移動するようになされている。
【０１０３】
その際、仮想カーソルＫが位置するところの仮名文字が表示画面の下段に表示されるようになつている。例えば仮想カーソルＫが仮名文字「か」のところに位置していれば、当該仮名文字「か」が選択され、図１１（Ａ）に示すように、表示画面の下段に仮名文字「か」が表示される。このようにして「５」、「０」、「７」又は「９」のテンキーを操作すれば、音響受信装置４に所望の仮名文字を表示させることができるようになされている。
【０１０４】
またこのプログラムモードの表示画面においては、画面下方に「press →♯」が表示されている。この表示は、テンキーから「♯」を入力すれば確定指示が入力され、現在表示されている仮名文字を確定して入力することができることを意味している。
【０１０５】
このようなプログラムモードの表示画面において、ユーザが希望する楽曲を指定する場合には、まずこのようなテンキーを操作して希望する楽曲の題名頭文字を入力する。例えば図１１に示すように、「か」で始まる楽曲を希望するのであれば、仮名文字「か」を入力する。頭文字が入力できたら続いて「♯」を入力すると、その仮名文字が確定され、題名の頭文字が「か」で始まる曲名リストを要求するサービス要求信号Ｓ２０が音響受信装置４から送信される。これによりサービスセンタ２はこのサービス要求信号Ｓ２０に応じて題名の頭文字が「か」である曲名リストを音響受信装置４に向けて送信する。
【０１０６】
この曲名リストを受信すると、表示部７には、図１２に示すような曲名リストが表示される。この図１２に示すように、曲名リストを受信すると、その曲名リストとして受信した各楽曲名が上から順に表示される。この場合、画面の右側には先程と変わつて矢印記号と「５」及び「０」の数字だけが表示されている。これは、題名の前に表示されるカーソル「＊」を「５」又は「０」のテンキーを使用して上下方向に移動し得ることを意味している。なお、「０」キーを使用してカーソル「＊」を画面の一番下に移動したとき、曲名リストがまだ下に続く場合には、曲名リストが逆に上にシフトしてスクロール表示し、またこれとは逆に「５」キーを使用してカーソル「＊」を画面の一番上に移動したとき、曲名リストがまだ上に続く場合には、曲名リストが逆に下にシフトしてスクロール表示するようになされており、これにより表示画面に対してリスト数が多い場合でも全てのリストを表示することができるようになされている。因みに、この状態では、受信した曲名リストを表示しているだけなので、カーソル「＊」は点滅状態にあり、曲指定が未だなされていないことを示している。
【０１０７】
ここでユーザが希望する楽曲を指定する場合には、上述したような「５」又は「０」のテンキーを操作してユーザが希望する楽曲の題名のところにカーソル「＊」を表示させる。続いて「♯」キーを押圧操作して当該「♯」を入力してカーソル「＊」が位置している楽曲を確定する。これによりカーソル「＊」が点滅表示から連続表示に変更され、その楽曲が確定されたことが示される。
【０１０８】
楽曲が確定されると、その楽曲が確定されたことを示すサービス要求信号Ｓ２０がＰＨＳ無線回線を介してサービスセンタ２に送信される。サービスセンタ２はこのサービス要求信号Ｓ２０によりユーザが希望している楽曲を把握し、その楽曲を特定する楽曲コードをＰＨＳ無線回線を介して音響受信装置４に送信する。因みに、この楽曲コードは、予めサービスセンタ２が保有している全曲に対して楽曲毎に異なるように付されているコードである。
【０１０９】
プログラムモードの場合には、このような操作を順に繰り返して行くことにより、ユーザが聞きたい楽曲を１曲ずつ指定し、その楽曲を特定する楽曲コードを１つずつ入手する。そしてその入手した楽曲コードを、図１３に示すように、１つのフアイルとして記憶部８に記憶する。この場合、１行目の「Fav 1 」はフアイルネームであり、ユーザが任意に指定するか又は音響受信装置４において以前に作成されたフアイルネームと異なるように自動的に付与される。また２行目の「Title of 1＝”ハイウエイ○×△”」は１曲目として指定した楽曲の題名が「ハイウエイ○×△」であることを示し、３行目の「Code of 1 ＝225920」は１曲目の楽曲コードが「225920」であることを示している。このように楽曲名と楽曲コードを対にし、これを指定された演奏順番に合わせて並べて記憶する。これによりこの曲名フアイルを参照すれば、ユーザにより指定された楽曲名及び楽曲コードを把握し得ると共に、演奏順番も把握することができる。
【０１１０】
なお、このようにして楽曲コードを入手することにより生成された曲名フアイルは、操作部９より所定の操作を行うと、実際に表示部７に表示されるようになされており、これにより指定した楽曲が合つているかどうかユーザ自身が目で見て確認することができる。
【０１１１】
かくしてプログラムモードで音楽提供を受ける場合には、このようにして曲名フアイルを作成した後、所定操作を行つて、その曲名フアイルから曲順に沿つて楽曲コードを順に読み出し、その楽曲コードを付加したサービス要求信号Ｓ２０を送信する。これによりユーザが指定した音楽信号がサービスセンタ２から送信され、プログラムモードの音楽提供サービスが開始される。
【０１１２】
（１−８）音楽提供サービスに係わる制御部の制御手順
ここで以上説明した音楽提供サービスの制御は全て制御部１０の動作制御によつて行われるが、この項では、その動作制御をフローチヤートを使用して順に説明する。
【０１１３】
まず曲指定を行う際には、図１４に示す動作手順によつて曲指定がなされる。すなわちステツプＳＰ１から入つたステツプＳＰ２において、制御部１０はメニユー画面表示中にプログラムモードを選ぶ操作がなされたか否か判断する。その結果、プログラムモード以外の操作がなされた場合には、制御部１０はそのモードを示すサービス要求信号Ｓ２０を送信した後、ステツプＳＰ３に移つて処理を終了する。
【０１１４】
一方、プログラムモードが指定された場合には、制御部１０はステツプＳＰ４に移つて曲指定のための頭文字入力を受け付ける。ステツプＳＰ４において、曲指定のための頭文字入力がなされると、制御部１０は、題名の頭文字が入力された文字からなる楽曲の曲名リストをサービスセンタ２に要求することにより、当該サービスセンタ２から曲名リストを入手し、その曲名リストを表示部７に表示する。
【０１１５】
そしてステツプＳＰ５において、制御部１０はその曲名リスト内の任意の楽曲に対して確定操作がなされたか否か判断し、曲確定の操作がなされた場合には、ステツプＳＰ６に移つてここで曲確定を示すサービス要求信号Ｓ２０をサービスセンタ２に送信し、続くステツプＳＰ７においてサービスセンタ２から送られてくる楽曲コードを受信する。一方、曲確定の操作がなされなかつた場合には、制御部１０はステツプＳＰ４に戻つて曲指定の頭文字入力を再度受け付ける。
【０１１６】
制御部１０は、楽曲コードを入手すると、ステツプＳＰ８に移り、ここで引き続き曲指定の操作がなされるか否か判断することによりユーザが希望する楽曲が全て指定し終わつたか否か判断する。その結果、引き続き曲指定の操作がなされた場合には、制御部１０は、ステツプＳＰ４に戻つて処理を繰り返し、曲指定が終わつた場合にはステツプＳＰ９に移る。
【０１１７】
ステツプＳＰ９において、制御部１０は今までの処理により指定された全曲の楽曲名及び楽曲コードを曲名フアイルに指定された順番で格納し、当該曲名フアイルを記憶部８に記憶する。この処理を終えると、制御部１０はステツプＳＰ３に移つて曲指定のための処理を終了する。
【０１１８】
これに対して音楽提供サービスを受ける際の手順としては、図１５に示すようになる。すなわちステツプＳＰ１０から入つたステツプＳＰ１１において、制御部１０は、メニユー画面表示中にモード選択のためのテンキー入力を受け付ける。そして次のステツプＳＰ１２において、制御部１０は入力されたテンキーの種類を判断することによりプログラムモードが指定されたかランダムモードが指定されたか判断する。その結果、プログラムモードが指定された場合には、制御部１０はステツプＳＰ１３に進み、ランダムモードが指定された場合にはステツプＳＰ１８に進む。
【０１１９】
ステツプＳＰ１３において、制御部１０は先の曲指定により記憶部８に格納した曲名フアイルから楽曲の題名を読み出し、これを表示部７に表示する。次にステツプＳＰ１４において、制御部１０は、表示した楽曲の楽曲コードを曲名フアイルから読み出し、これをサービスセンタ２に向けて送信する。次のステツプＳＰ１５では、その楽曲コード送信に応じてサービスセンタ２から送られてくる音楽データを受信し、これをイヤホン１３を介して出力する。これによりユーザは指定した音楽を当該イヤホン１３を介して聴取することができる。
【０１２０】
１曲分の音楽データが受信し終えると、制御部１０は次のステツプＳＰ１６にち移り、ここで曲名フアイル内に次の曲があるか否か判断し、次の曲があればステツプＳＰ１３に戻つて処理を繰り返し、次の曲がなければステツプＳＰ１７に移つて処理を終了する。
【０１２１】
一方、ランダムモードが指定されたためステツプＳＰ１８に移つた場合には、制御部１０は指定されたランダムモード（ランダムモードとしては図８に示した第１から第９番目のモードがある）に対応するサービス要求信号Ｓ２０をサービスセンタ２に向けて送信する。次のステツプＳＰ１９では、そのサービス要求信号Ｓ２０に応じてサービスセンタ２から送られてくる音楽データを受信し、これをイヤホン１３を介して出力する。これによりユーザは指定した音楽提供モードに対応する音楽を当該イヤホン１３を介して聴取することができる。
【０１２２】
次のステツプＳＰ２０では、制御部１０は通話終了キーが押されたか否か判断することにより音楽提供サービスの停止が指示されか否か判断する。その結果、音楽提供サービスの停止が指示されなかつた場合には、制御部１０はステツプＳＰ１９に戻つて処理を繰り返し、停止が指示された場合にはステツプＳＰ２１に進んで音楽提供サービスの受信を停止して処理を終える。
【０１２３】
（１−９）音響受信装置の本体に設けられた操作部
最後にこの項では、音響受信装置４の本体に設けられた操作部９について説明する。音響受信装置４の各電気回路を収納した本体ケース４Ａの上面にはＰＨＳ基地局３と無線通信するためのアンテナ３０が配置されている。また本体ケース４Ａの正面には表示部７と音響入出力部６のスピーカ４１とが設けられている。さらに表示部７の下方には操作部９を構成する通話キー９Ａ、通話終了キー９Ｂ及びテンキー９Ｃが配置されている。因みに、テンキー９Ｃは、図から明らかなように、実際には「０」〜「９」の１０個の数字キーと「＊」キー及び「♯」キーの２つの特殊キーからなつている。
【０１２４】
また本体ケース４Ａの下部には当該本体ケース４Ａに対して回動自在にフリツパ４Ｂが取り付けられている。このフリツパ４Ｂは閉じたときに丁度通話キー９Ａ、通話終了キー９Ｂ及びテンキー９Ｃを覆うようになされており、これにより音響受信装置４を鞄やポケツト等に入れているときに誤つてこれらの操作キーが押されることを未然に防止し得るようになされている。またこのフリツパ４Ｂの先端には音響入出力部６のマイクロホン２０が設けられており、このフリツパ４Ｂを開くことにより当該マイクロホン２０が通話時に丁度ユーザの口元にきてユーザの音声を拾い易くなつている。
【０１２５】
また本体ケース４Ａの側面には操作部９を構成する回転押圧式の操作子いわゆるジヨグダイアル９Ｄが設けられている。このジヨグダイアル９Ｄは、図１７に示すように、矢印ａ又はｂに示す方向に回転し得るように本体４Ａに取り付けられている。このジヨグダイアル９Ｄを回転させたときには「カチカチ」といつたクリツク感が得られるようになつており、これによりユーザはいずれの方向にどれだけ回転させたかを容易に把握し得るようになされている。
【０１２６】
このジヨグダイアル９Ｄを回転操作すると、当該ジヨグダイアル９Ｄはその回転角に応じたパルスを発生する（このパルスは回転角に応じていることにより回転方向及び回転量を示している）。制御部１０はこのジヨグダイアル９Ｄが発生するパルスを検出することにより当該ジヨグダイアル９Ｄがいずれの方向にどれだけ回転操作されたかを検出し得るようになされている。そして制御部１０はその検出した回転方向及び回転量に応じた量だけ表示部７に表示されるカーソルを上方向又は下方向に移動するようになされている。これによりこの音響受信装置４では、上述したように「５」又は「０」キーを押さなくても、カーソルを容易に移動し得るようになされている。
【０１２７】
またこのジヨグダイアル９Ｄは矢印ｃに示す方向（すなわち本体４Ａにほぼ垂直な方向）に押圧操作し得るようになされている。このジヨグダイアル９Ｄは押圧操作がなされると、押圧操作がなされたことを示すスイツチ信号を発生する。制御部１０はこのスイツチ信号を検出することによりジヨグダイアル９Ｄの押圧操作を検出し得るようになされており、当該押圧操作を検出したときにはカーソルが表示されている項目を確定するようになされている。これによりこの音響受信装置４では、上述したように「♯」キーを押さなくても、カーソルが位置している項目を確定することができる。かくしてこのようなジヨグダイアル９Ｄを設けることにより、部品点数は増えるものの、音響受信装置４の操作性及び商品性を向上することができる。
【０１２８】
因みに、イヤホン１３のケーブル上に配されたリモート操作子１４にも、ここで示した表示部７、通話キー９Ａ、通話終了キー９Ｂ、テンキー９Ｃ及びジヨグダイアル９Ｄが設けられており、当該リモート操作子１４を使用しても同様の操作を行うことができる。
【０１２９】
（１−１０）動作及び効果
以上の構成において、この音楽提供サービスシステム１で音楽提供サービスを受ける場合には、まず音響受信装置４からサービスセンタ２に対してＰＨＳの無線回線を介してサービス要求信号Ｓ２０を送信する。この場合、提供される音楽サービスとしては大きく分けてサービスセンタ２側で楽曲を決めるランダムモードとユーザ側で楽曲を決めるプログラムモードとに分けられる。ユーザがランダムモードを希望した場合には、その旨を示すサービス要求信号Ｓ２０がサービスセンタ２に送信される。サービスセンタ２はこのサービス要求信号Ｓ２０に応じて所定の曲群の中からランダムに楽曲を選んでその音楽データを送信するか、もしくは最新ベストテンとして登録されている曲群の中から順番に楽曲を選んでその音楽データを送信する。音響受信装置４はこのようにしてＰＨＳの無線回線を介して送信される音楽データを受信し、これをイヤホン１３に出力する。これによりユーザは当該イヤホン１３を介して希望した音楽を聞くことができる。
【０１３０】
一方、ユーザがプログラムモードを希望した場合には、まず希望する楽曲名の頭文字を入力して曲名リストをサービスセンタ２に要求する。サービスセンタ２はその指定された文字が題名の頭に付く曲名リストを音響受信装置４に送信する。音響受信装置４では、その曲名リストを表示部７に表示してユーザにその中から希望する楽曲を選択させる。そしてユーザが希望する楽曲を確定すると、曲確定を示すサービス要求信号Ｓ２０を送信してサービスセンタ２から楽曲コードを入手する。以降のこの動作を繰り返して、ユーザが希望している楽曲名及び楽曲コードからなる曲名フアイルを作成する。そして音響受信装置４では、この曲名フアイルから順に楽曲コードを読み出してサービスセンタ２に送信することによりユーザが希望している音楽データをサービスセンタ２に順に送信させる。かくしてこの音楽データを受信して、イヤホン１３から出力することにより、ユーザは希望する音楽を聞くことができる。
【０１３１】
このようにしてこの音楽提供サービスシステム１では、ユーザが希望する音楽データをＰＨＳの無線回線を介して送信し、これを音響受信装置４で受けて出力することにより、カセツトテープやコンパクトデイスク等の記録媒体を持たなくともユーザが希望する音楽を移動しながら聞くことができ、いわゆるミユージツク・オン・デマンド・サービスを移動体通信で実現することができ、ユーザに大いなる利便性を提供することができる。
【０１３２】
またこの音楽提供サービスシステム１においては、音楽データを送信する際、当該音楽データに離散コサイン変換処理やベクトル量子化処理を施して送信する。このようにして離散コサイン変換処理やベクトル量子化処理を施して音楽データを送信すると、回線状態が変化した場合でも、受信側で当該音楽データを正確に受信し得る。従つて回線状態に応じて周波数特性を切り換えたり或いは信号出力方式をステレオからモノラルに切り換えたりする必要がなくなり、安定に音楽提供サービスを提供することができる。
【０１３３】
以上の構成によれば、サービス要求信号Ｓ２０に応じてユーザが希望する音楽データに所定の変調符号化処理を施して送信し、受信側ではその音楽データを受信して所定の復調復号化処理を施した後、所定の出力手段を介して出力するようにしたことにより、記録媒体を持たずにユーザが希望する音楽を移動しながらでも聞くことができ、一段と利便性が向上した音楽提供サービスを実現することができる。
【０１３４】
（２）第２の実施の形態
上述の第１の実施の形態においては、ユーザが音響受信装置４を携帯して音楽提供サービスを受けた場合について述べたが、この第２の実施の形態においては、音響受信装置と自動車の車載音響機器と組み合わせて音楽提供サービスを受ける場合について説明する。
【０１３５】
図１８において、７０は全体として第２の実施の形態による音響受信装置を示し、この実施の形態の場合も、ＰＨＳ基地局３から送信される音楽データを当該音響受信装置７０で受信するようになされている。但し、この音響受信装置７０は受信した音楽データを第１の実施の形態のようにイヤホン１３から送出するのではなく、自動車の車内に配置された車載音響機器を介して送出するようになされている。
【０１３６】
近年の車載音響機器としては、昔のように単にラジオ放送だけを受信するのではなく、ナビゲーシヨン装置やテレビ受像機等と組み合わせたものが提案されている。このような車載音響機器は、図１８に示すように、大きく分けて、ナビゲーシヨンのための地図や経路、或いは受信したテレビ放送の画像や各種メニユー等を表示する表示部７１と、現在位置測定手段及び地図データベース手段を有するナビゲーシヨン装置やテレビ受像機の受信部、或いはミニデイスクやコンパクトデイスク等の記録媒体から音楽を再生する音楽再生部やＡＭ／ＦＭラジオ放送のラジオ受信機等が収納された音響機器本体７２と、受信したラジオ放送の音声や再生した音楽を送出するステレオ対応のスピーカ７３Ｒ、７３Ｌとによつて構成される。
【０１３７】
この第２の実施の形態による音響受信装置７０は、ＰＨＳの無線回線を介して受信した音楽データにＦＭ変調（Frequency Modulation：いわゆる周波数変調）を施し、これをＦＭラジオ放送の周波数帯域（通常76〜90〔MHz〕）の微弱電磁波（以下、単に微弱電波と呼ぶ）で送信する。車載音響機器のラジオ受信機はこの微弱電波で送信されるＦＭ信号を受信し、受信したＦＭ信号から音楽データを復元してこれをスピーカ７３Ｒ、７３Ｌを介して出力する。これによりユーザは、自動車に既に搭載されている車載音響機器のスピーカ７３Ｒ、７３Ｌを介して希望する音楽をステレオ音響で聞くことができる。
【０１３８】
このようにしてこの第２の実施の形態による音響受信装置７０では、ＰＨＳの無線回線を介して受信した音楽データを微弱電波のＦＭ信号に変換し直して送信し、これを車載音響機器のラジオ受信機に受信させて音楽を出力させる。これにより既存の車載音響機器を利用して高音質及び高出力で音楽を出力することができる。
【０１３９】
因みに、この第２の実施の形態においては、リモートコントローラ７４から赤外光で送信される制御データを音響受信装置７０で受信し得るようになされており、これによりリモートコントローラ７４を使つて音響受信装置７０や車載音響機器の動作を制御し得るようになされている。
【０１４０】
またこの第２の実施の形態においては、受信したテレビ放送の画像を表示しているときに、当該テレビ放送の画像と、第１の実施の形態で説明したような楽曲名や音楽提供サービスを受ける際のメニユー画面等、受信する音楽データに関連する情報とを表示部７１に同時又は切り換えて表示し得るようになされている。同様に、ナビゲーシヨンのための経路画面を表示しているときに、当該経路画面と、受信する音楽データに関連する情報とを表示部７１に同時又は切り換えて表示し得るようになされている。これによりこの第２の実施の形態においては、車載音響機器として既に設置されている表示部７１を音楽提供サービスでも使用し得るようになされている。
【０１４１】
なお、この第２の実施の形態による音響受信装置７４も、第１の実施の形態と同様に、送受信部等の各種電気回路を電池で駆動し得るようになされており、ダツシユボードから取り外せば通常のＰＨＳの通信端末装置として使用し得るようになされている。
【０１４２】
ここでこの第２の実施の形態による音響受信装置７０の構成を図１９に示す。図２との対応部分に同一符号を付して示す図１９において、７０は全体として第２の実施の形態による音響受信装置を示し、第１の実施の形態による音響受信装置４に対して新たに微弱電波発生・変調部７５、微弱電波用のアンテナ７６、赤外線受光部７７及び赤外線受信処理部７８が設けられている。
【０１４３】
赤外線受光部７７はリモートコントローラ７４から送信される赤外光を受信し、当該赤外光の光量に応じた電気信号Ｓ６０を発生する。赤外線受信処理部７８はこの電気信号Ｓ６０を解析することによりリモートコントローラ７４から送信された制御データＳ６１を検出し、これをデータバス１１を介して制御部１０に送出する。
【０１４４】
制御部１０はこの制御データＳ６１に応じて音響受信装置７０の各部の動作を制御するようになされており、これによりリモートコントローラ７４を使用して音響受信装置７４の動作を制御し得るようになされている。例えばリモートコントローラ７４から所定のモードで音楽提供サービスを開始するような制御データが送信された場合には、制御部１０はその制御データに応じて送受信部５の動作を制御し、当該送受信部５を介してサービス要求信号Ｓ２０を送信する。これによりサービスセンタ２はこのサービス要求信号Ｓ２０に応じてユーザが希望するモードで音楽データを送信する。音響受信装置７４においては、ＰＨＳの無線回線を介して送信される信号を送受信部５によつて受信し、その受信した音楽データを音響入出力部６で復号化処理することにより、サービスセンタ２から送信された音楽データ（Ｓ２４Ｒ、Ｓ２４Ｌ）を復元し、これを微弱電波発生・変調部７５に出力する。
【０１４５】
微弱電波発生・変調部７５は、供給される音楽データ（Ｓ２４Ｒ、Ｓ２４Ｌ）にＦＭ変調を施して送信信号を生成した後、当該送信信号をＦＭラジオ放送の周波数帯域に周波数変換し、これを微弱電波でアンテナ７６から送信する。これにより車載音響機器のラジオ受信機でこの微弱電波を受信すれば、音響受信装置７０で受信した音楽データを車載音響機器を介して出力することができる。
【０１４６】
なお、制御部１０は、音楽データと共に送信された楽曲名や歌詞名等といつた付加情報Ｓ６２や、表示部７に表示するメニユー画面のデータＳ６３も微弱電波発生・変調部７５を介して送信するようになされており、これにより車載音響機器でこれを受信すれば、当該車載音響機器の表示部７１に楽曲名や歌詞或いはメニユー画面等、音楽提供サービスに関するデータを表示することができる。
【０１４７】
また、制御部１０は、赤外線受光部７７及び赤外線受信処理部７８を介して受けた車載音響機器に関する制御データＳ６４も、微弱電波発生・変調部７５を介して送信するようになされており、これによりリモートコントローラ７４を使用して車載音響機器の動作をも制御することができる。
【０１４８】
以上の構成によれば、受信した音楽データに再度ＦＭ変調を施してこれを微弱電波で送信するようにしたことにより、音響受信装置７０で受信した音楽データを既存の車載音響機器を介して高音質及び高出力で送出し得、音楽提供サービスを受ける際の利便性をさらに向上することができる。
【０１４９】
（３）第３の実施の形態
上述の第１の実施の形態においては、音響受信装置４で受信した音楽データを有線接続されたイヤホン１３を介して送出した場合について述べたが、この第３の実施の形態においては、ワイヤレスタイプのイヤホンを使用して音楽データを聴取し得るようにした場合について説明する。
【０１５０】
図２０に示すように、この第３の実施の形態においては、音響受信装置８０で受信した音楽データを再変調して微弱電波で送信し、これをワイヤレスタイプのイヤホン８１の通信部８１Ａで受信することにより当該音楽データをイヤホン８１の電気音響変換素子を介して出力するようになされている。これによりこの第３の実施の形態では、音響受信装置８０とイヤホン８１とを分離して使用することができ、第１の実施の形態のように音響受信装置４を身につけずとも鞄の中等に入れておけば容易に音楽データを聞くことができる。
【０１５１】
なお、第１の実施の形態であつても、音響受信装置４を鞄の中等に入れることは可能であるが、ケーブル接続されている関係上、少なくともイヤホン１３のケーブル長分しか引き離すことができない。また第１の実施の形態の場合には、音響受信装置４を身につけて歩くと、イヤホン１３のケーブルが手などに引つ掛かつて邪魔になるおそれがある。しかしながらこの第３の実施の形態のように音響受信装置８０とイヤホン８１とを無線接続すれば、電波の届く範囲内であれば自由に引き離すことができると共に、第１の実施の形態のようにイヤホン１３のケーブルが邪魔になることもないので、一段と大きな自由度が得られる。
【０１５２】
またこの第３の実施の形態においても、イヤホン８１のケーブル途中にはリモート操作子８１Ｂが設けられており、このリモート操作子８１Ｂから入力された制御データを通信部８１Ａを介して送信し得るようになされている。これにより音響受信装置８０の本体に設けられた操作部９をわざわざ操作しなくても、音楽提供サービスを受ける際の制御データをユーザの手元で入力することができる。因みに、このリモート操作子８１Ｂは、第１の実施の形態で説明したリモート操作子１４とほぼ同様のものであり、表示機能と操作入力機能を有している。
【０１５３】
ここでこの第３の実施の形態による音響受信装置８０の構成を図２１に示す。図２との対応部分に同一符号を付して示す図２１において、８０は全体として第３の実施の形態による音響受信装置を示し、第１の実施の形態による音響受信装置４に対して新たに微弱電波送受信部８２及び微弱電波用のアンテナ８３が設けられている。
【０１５４】
この音響受信装置８０においては、ワイヤレスタイプのイヤホン８１の通信部８１Ａから送信された送信信号をアンテナ８３によつて受信し、その結果得られる受信信号Ｓ７０を微弱電波送受信部８２に入力するようになされている。微弱電波送受信部８２はこの受信信号Ｓ７０に所定の復調処理を施すことにより当該受信信号Ｓ７０からリモート操作子８１Ｂが発した制御データＳ７１を復元し、これをデータバス１１を介して制御部１０に出力する。
【０１５５】
制御部１０は、この制御データＳ７１が音楽提供サービスを受けるための制御データであれば、当該制御データＳ７１に応じて音楽提供サービスを受けるためのサービス要求信号Ｓ２０を送受信部５を使つてＰＨＳの無線回線を介してサービスセンタ２に送信する。これを受けたサービスセンタ２は、サービス要求信号Ｓ２０に応じた所望の音楽データをＰＨＳの無線回線を介して送信する。
【０１５６】
音響受信装置８０においては、ＰＨＳの無線回線を介して送信される信号を送受信部５によつて受信し、その受信した音楽データを音響入出力部６で復号化処理することにより、サービスセンタ２から送信された音楽データ（Ｓ２４Ｒ、Ｓ２４Ｌ）を復元し、これを微弱電波送受信部８２に出力する。
【０１５７】
微弱電波送受信部８２は、供給される音楽データ（Ｓ２４Ｒ、Ｓ２４Ｌ）に所定の変調処理を施して送信信号を生成した後、当該送信信号を例えば数100 〔MHz〕程度の信号に変換し、これを微弱電波でアンテナ８３から送信する。かくしてこの微弱電波をイヤホン８１の通信部８１Ａで受信して音楽データを復調し、当該音楽データをイヤホン８１の電気音響変換素子を介して出力すれば、音響受信装置８０で受信した音楽データをワイヤレスタイプのイヤホン８１で容易に聞くことができる。
【０１５８】
なお、微弱電波送受信部８２は、楽曲名や歌詞或いはメニユー画面のデータ等、受信する音楽データに関連するデータも、微弱電波を使用して送信する。これによりワイヤレスタイプのイヤホン８１でこれを受信してリモート操作子８１Ｂに表示すれば、楽曲名や歌詞等を音響受信装置８０の本体に設けられた表示部７を見ずとも容易に確認し得る。
【０１５９】
ここでワイヤレスタイプのイヤホン８１の構成を図２２に示す。この図２２に示すように、ワイヤレスタイプのイヤホン８１は大きく分けて通信部８１Ａ、リモート操作子８１Ｂ、アンテナ８１Ｃ及び電気音響変換素子８１Ｒ、８１Ｌによつて構成される。このワイヤレスタイプのイヤホン８１においては、音響受信装置８０の微弱電波送受信部８２から送信された微弱電波をアンテナ８１Ｃによつて受信し、その結果得られる受信信号Ｓ７２を通信部８１Ａに入力するようになされている。通信部８１Ａは受信信号Ｓ７２に所定の復調処理を施すことにより当該受信信号Ｓ７２からステレオ方式の左右の音楽信号Ｓ７３Ｒ及びＳ７３Ｌを復元し、これを電気音響変換素子８１Ｒ、８１Ｌに出力する。これによりユーザは電気音響変換素子８１Ｒ、８１Ｌを耳に当てれば、当該電気音響変換素子８１Ｒ、８１Ｌを介して音楽を聞くことができる。
【０１６０】
一方、ユーザがリモート操作子８１Ｂを操作することにより入力された制御データＳ７４は通信部８１Ａに入力される。通信部８１Ａはこの制御データＳ７４に所定の変調処理を施して送信信号を生成した後、当該送信信号を例えば数100〔MHz〕程度の信号に変換し、これを微弱電波でアンテナ８１Ｃから送信する。これにより音響受信装置８０では、この微弱電波を受信して制御データＳ７１を復元すれば、その制御データＳ７１に基づいてユーザの指示に応じた動作を行うことができる。
【０１６１】
以上の構成によれば、受信した音楽データを再変調して微弱電波で送信するようにしたことにより、音響受信装置８０で受信した音楽データをワイヤレスタイプのイヤホン８１で聞くことができ、音楽提供サービスを受ける際の利便性を一段と向上することができる。
【０１６２】
（４）他の実施の形態
なお上述の第１及び第３の実施の形態においては、受信した音楽データを出力する音響出力手段としてイヤホンを用いた場合について述べたが、本発明はこれに限らず、耳を覆うようにして音響出力手段を装着する、いわゆるヘツドホンを用いるようにしても上述の場合と同様の効果を得ることができる。
【０１６３】
また上述の第２の実施の形態においては、音楽データが重畳された微弱電波の周波数を76〜90〔MHz〕程度に設定した場合について述べたが、本発明はこれに限らず、車載音響機器として搭載されているラジオ受信機で受信し得る範囲の周波数であればその他の周波数であつても良い。
【０１６４】
また上述の第３の実施の形態においては、音楽データが重畳された微弱電波の周波数を数100〔MHz〕程度に設定した場合について述べたが、本発明はこれに限らず、数10〔MHz〕以上、かつ１〔GHz〕以下の範囲であればその周波数はいずれであつても良い。少なくともこの範囲に設定しさえすれば、微弱電波による通信を容易に行うことができる。
【０１６５】
また上述の第１及び第３の実施の形態においては、受信した音声データを単にイヤホン１３又は８１で送出するようにした場合について述べたが、本発明はこれに限らず、電気音響変換素子であるイヤホンをマイクロホンとして使用し、通話のための音声信号を当該イヤホンを介して入力するようにしても良い。一般にイヤホンを構成する電気音響変換素子は、音声波の振動を逆に拾つて電気信号に変換することができる。すなわち人間の声帯で発生した音声波は、通常、骨等を伝わつて耳の中まで到達するが、この音声波の振動をイヤホンによつて受ければ、当該イヤホンによつて音声信号を生成することができる。この音声信号を第１又は第３の実施の形態のようにケーブル又は無線回線を介して音響受信装置４又は８０の音響入出力部６に入力すれば、イヤホンをマイクとして使用することができるので、音響受信装置４又は８０を電話端末として使用するとき、両手に何も持たずに手ぶら感覚で通話を行うことができ、大きな自由度が得られる。この場合、イヤホンに出力する音声信号とイヤホンから入力された音声信号の伝送を半二重通信によつて行つても良いが、時分割伝送による全二重通信によつて伝送する方が通話の応答性が良くなるのでより効果的である。
【０１６６】
また上述の第１の実施の形態においては、音楽データをＰＨＳ基地局３から送信するとき、送信データ処理部５０において当該音楽データに離散コサイン変換を施した場合について述べたが、本発明はこれに限らず、高速フーリエ変換（ＦＦＴ）等、その他の処理を施すようにしても良い。因みに、送信側で高速フーリエ変換処理を行つた場合には、受信側のデータ復号ブロツク６２で離散コサイン逆変換の代わりに逆高速フーリエ変換（ＩＦＦＴ）を行うようにすれば良い。
【０１６７】
また上述の第１の実施の形態においては、メニユー画面のデータを記憶部８に記憶しておく場合について述べたが、本発明はこれに限らず、ＰＨＳの無線回線を介してサービスセンタ２側からこのメニユー画面のデータを送るようにしても上述の場合と同様の効果を得ることができる。
【０１６８】
また上述の第１の実施の形態においては、ランダムモードで提供する音楽の分類を、図１０に示すように、「最新ベストテン（Ｊ−ＰＯＰ）」、「最新ベストテン（ロツク）」、「最新ベストテン（演歌）」、「ランダムピツクアツプ（90年代）」、「ランダムピツクアツプ（80年代）」、「ランダムピツクアツプ（60〜70年代）」、「ジヤズランダム」、「クラツシツクランダム」及び「レゲエランダム」の９個に分けた場合について述べたが、本発明はこれに限らず、年代及びジヤンルを更に細かく分けても良い。要は、楽曲群の分類としては、図１０に示した分類以外のものであつても良い。
【０１６９】
また上述の第１の実施の形態においては、仮想文字テーブルＴＢを日本語の５０音表によつて形成することにより日本語の仮名文字を入力し得るようにした場合について述べたが、本発明はこれに限らず、その他の文字からなる仮想文字テーブルを形成してその他の文字を入力し得るようにしても良い。
【０１７０】
また上述の第１の実施の形態においては、２次元方向に広がる仮想文字テーブルＴＢを使用したため、「５」、「０」、「７」及び「９」キーを使用して上下左右方向に仮想カーソルＫを移動し得るようにした場合について述べたが、本発明はこれに限らず、アルフアベツトのように１次元方向に文字が並ぶ仮想文字テーブルを使用した場合には、「５」及び「０」キー又は「７」及び「９」キーを使用して上下又は左右方向のみに仮想カーソルを移動し得るようにして、「Ａ」から「Ｚ」方向又は「Ｚ」から「Ａ」方向のみに仮想カーソルを移動するようにしても良い。
【０１７１】
また上述の第１の実施の形態においては、プログラムモードで楽曲を指定するとき、ユーザが曲名リストから所望の楽曲を選んで楽曲を確定した後、その曲確定を示すサービス要求信号Ｓ２０を送出して楽曲コードを入手した場合について述べたが、本発明はこれに限らず、曲名リストをサービスセンタ２から送信するとき、楽曲名と共に楽曲コードも送信するようにしても良い。このようにすれば、図１４に示したフローチヤートのステツプＳＰ６及びＳＰ７の処理を省略することができ、一段と処理を簡易にすることができる。
【０１７２】
また上述の第１の実施の形態においては、音符記号を表示することにより曲名表示画面であることを示すと共に、本マーク記号を表示することにより歌詞表示画面であることを示すようにした場合について述べたが、本発明はこれに限らず、「曲名」といつた文字や「歌詞」といつた文字を表示することにより曲名表示画面であることや歌詞表示画面であることを示すようにしても良い。
【０１７３】
また上述の第１の実施の形態においては、プログラムモードで指定した楽曲を示す曲名フアイルを記憶部８に記憶し、音楽提供サービスを受ける際にはこの曲名フアイルからユーザが指定した楽曲を示す楽曲コードを読み出してサービスセンタ２に通達することによりユーザが指定した楽曲の音楽信号を得るようにした場合について述べたが、本発明はこれに限らず、予め記憶しておいた曲名フアイルから楽曲コードを読み出す時刻を指定するタイマを設け、このタイマに登録された時刻になつたら楽曲コードを読み出してサービスセンタ２に通達するようにしても良い。このようにすれば、予めユーザがタイマに所望の時刻を登録しておけば、その時刻になつたときに自動的に音楽信号を受信して所望の音楽を聞くことができる。
【０１７４】
また上述の第１の実施の形態においては、ランダムモードで音楽提供サービスを受けているとき、通話終了キーを使用して音楽提供サービスの停止を指示した場合について述べたが、本発明はこれに限らず、音楽提供サービスの停止をテンキー等に割り当てるようにしても良い。
【０１７５】
また上述の第１の実施の形態においては、回転押圧式の操作子すなわちジヨグダイアル９Ｄを設けてカーソル移動を行つた場合について述べたが、本発明はこれに限らず、その他の操作子を設けてカーソル移動を行うようにしても良い。例えば図２３（Ａ）に示すように、所定の角度だけ回動すると共に、本体４Ａにほぼ垂直な方向に押圧操作が可能な回動押圧式の操作子９０を設け、当該操作子９０によつてカーソル移動を行うようにしても良い。この場合、操作子９０は、上下方向に±αの角度だけ回動し得るようになされていると共に、回動した状態から手を離せばバネ等の付勢力によつて元の位置に戻るようになされている。この操作子９０はユーザにより＋α又は−αの角度だけ回動させられると、２つのスイツチのうち回動方向に対応するスイツチをオン状態にするようになされている。制御部１０はこのスイツチの状態を検出することにより操作子９０の回動方向を検出すると共に、スイツチがオン状態になつている時間を計測するようになされており、その検出した回動方向及び時間に応じた量だけ表示部７に表示されるカーソルを上方向又は下方向に移動するようになされている。これにより上述した実施の形態のように所定のテンキーを押さなくても、カーソルを容易に移動することができる。またこの操作子９０は矢印ｃに示す方向に押圧操作し得るようになされている。この操作子９０は押圧操作がなされると、押圧操作がなされたことを示すスイツチ信号を発生する。制御部１０はこのスイツチ信号を検出することにより操作子９０の押圧操作を検出し得るようになされており、当該押圧操作を検出したときにはカーソルが表示されている項目を確定するようになされている。これにより上述した実施の形態のように「♯」キーを押さなくても、カーソルが位置している項目を容易に確定することができる。
【０１７６】
またこれに限らず、図２３（Ｂ）に示すように、３点スイツチ式の操作子９１を設けてカーソル移動を行うようにしても良い。この場合、操作子９１は縦に並んだ３つのスイツチ９１Ａ〜９１Ｃによつて構成される。制御部１０はこの３つのスイツチ９１Ａ〜９１Ｃのスイツチ状態を検出し得るようになされており、検出結果に応じてカーソルを移動すると共に、カーソルの位置している項目の確定を行うようになされている。具体的には、第１のスイツチ９１Ａが押圧操作された場合には、制御部１０は当該第１のスイツチ９１Ａが押されている時間を計測し、その時間に応じた量だけカーソルを上方向に移動する。また第３のスイツチ９１Ｃが押圧操作された場合には、制御部１０は第３のスイツチ９１Ｃが押されている時間を計測し、その時間に応じた量だけカーソルを下方向に移動する。これにより上述した実施の形態のように所定のテンキーを押さなくても、カーソルを容易に移動することができる。また第２のスイツチ９１Ｂが押圧操作された場合には、制御部１０は当該第２のスイツチ９１Ｂの押圧状態を検出してカーソルが位置している項目を確定する。これにより上述した実施の形態のように「♯」キーを押さなくても、カーソルが位置している項目を容易に確定することができる。かくしてこのような回動押圧式の操作子９０又は３点スイツチ式の操作子９１を設けるようにしても、同様に音響受信装置の操作性及び商品性を向上することができる。
【０１７７】
また上述の実施の形態においては、サービスセンタ２から音楽信号を送信することによりユーザに音楽提供サービスを行つた場合について述べたが、本発明はこれに限らず、サービスセンタ２からニユースや株式情報、或いは天気予報等、その他の情報を送信するようにしても良い。要は、音楽や音声等、情報提供のための音響信号をサービスセンタから送信するようにすれば、上述の場合と同様の効果を得ることができる。
【０１７８】
また上述の実施の形態においては、ＰＨＳの無線回線を介して音楽信号を伝送した場合について述べたが、本発明はこれに限らず、携帯電話システムや自動車電話システム等、その他の無線通信システムの無線回線を介して音楽信号を伝送するようにしても上述の場合と同様の効果を得ることができる。
【０１７９】
また上述の実施の形態においては、受信した音響信号を出力する電気音響変換素子を２つ設け、ステレオ音響を出力するようにした場合について述べたが、本発明はこれに限らず、少なくとも２つ以上の電気音響変換素子を設けて、受信した音響信号をステレオ音響で出力するようにすれば上述の場合と同様の効果を得ることができる。
【０１８０】
また上述の実施の形態においては、無線送信部５Ａを介してサービス要求信号を送信し、これに応答して送られてくる音楽信号を無線受信部５Ｂで受信し、その受信信号を復調回路４０で復調処理した後、データ処理回路４３で復号化処理を行つて音楽信号を復元し、これをイヤホン１３を介して出力した場合について述べたが、本発明はこれに限らず、少なくとも、所望の音響信号を要求するサービス要求信号を送信する無線送信手段と、サービス要求信号に対応して送信される音響信号が含まれる送信信号を受信する無線受信手段と、無線受信手段から出力される受信信号に復調及び又は復号処理を施して音響信号を復元する復調復号手段と、復調復号手段によつて復元された音響信号を音波に変換して出力する電気音響変換手段とを設けるようにすれば、上述の実施の形態と同様に、音響信号が記録された記録媒体を持たずに、ユーザが希望する音響信号を容易に得ることができる。
【図面の簡単な説明】
【０１８１】
【図１】本発明による音楽提供サービスシステムの構成を示すブロツク図である。
【図２】音響受信装置の構成を示すブロツク図である。
【図３】音響受信装置の使用形態の説明に供する略線図である。
【図４】音響受信装置の送受信部の構成を示すブロツク図である。
【図５】音響受信装置の音響入出力部の構成を示すブロツク図である。
【図６】ＰＨＳ基地局の構成を示すブロツク図である。
【図７】データ処理回路のデータ復号ブロツクの構成を示すブロツク図である。
【図８】音楽提供サービスのためのメニユー画面を示す略線図である。
【図９】音楽提供サービスを受けているときの曲名表示画面を示す略線図である。
【図１０】音楽提供サービスを受けているときの歌詞表示画面を示す略線図である。
【図１１】プログラムモードのときの表示画面及び仮想文字テーブルを示す略線図である。
【図１２】プログラムモードにおいて曲名リストを表示したときの表示画面を示す略線図である。
【図１３】プログラムモードで指定した曲の曲名フアイルを示す略線図である。
【図１４】プログラムモードで曲を指定するときの手順を示すフローチヤートである。
【図１５】音楽提供サービスを受ける際の手順を示すフローチヤートである。
【図１６】音響受信装置の外観構成を示す斜視図である。
【図１７】回転押圧式の操作子の動作の説明に供する略線図である。
【図１８】第２の実施の形態による受信側のシステム構成を示す略線図である。
【図１９】第２の実施の形態による音響受信装置の構成を示すブロツク図である。
【図２０】第３の実施の形態による音響受信装置の使用形態を示す略線図である。
【図２１】第３の実施の形態による音響受信装置の構成を示すブロツク図である。
【図２２】第３の実施の形態におけるワイヤレスタイプのイヤホンの構成を示すブロツク図である。
【図２３】他の実施の形態による操作子を示す略線図である。
【符号の説明】
【０１８２】
１……音楽提供サービスシステム、２……サービスセンタ、３……ＰＨＳ基地局、４、７０、８０……音響受信装置、４Ａ……本体ケース、５、５１……送受信部、５Ａ……無線送信部、５Ｂ……無線受信部、６……音響入出力部、７、７１……表示部、８……記憶部、９……操作部、９Ａ……通話キー、９Ｂ……通話終了キー、９Ｃ……テンキー、９Ｄ……ジヨグダイアル、１０……制御部、１１……データバス、１２……ユーザ、１３、８１……イヤホン、１４、８１Ｂ……リモート操作子、２１……音声信号処理回路、２２……時分割多重回路、２３……変調回路、３０、５２、７６、８１Ｃ、８３……アンテナ、４０……復調回路、４３……データ処理回路、４５……受信パケツト処理部、４６……音響出力部、５０……送信データ処理部、５３……受信データ処理部、５５……離散コサイン変換回路、５６……特徴情報抽出回路、５７……インターリーブ回路、５８……重み関数生成回路、５９……ベクトル量子化回路、６０……符号化回路、６２……データ復号ブロツク、６３……復号化回路、６４……デインターリーブ回路、６５……特徴情報復元回路、６６……情報復元回路、６７……離散コサイン逆変換回路、７２……音響機器本体、７４……リモートコントローラ、７５……微弱電波発生・変調部、７７……赤外線受光部、７８……赤外線受信処理部、８１Ａ……通信部、８２……微弱電波送受信部、９０、９１……操作子。
【図１】
2006333525.tif 000003
【図２】
2006333525.tif 000004
【図３】
2006333525.tif 000005
【図４】
2006333525.tif 000006
【図５】
2006333525.tif 000007
【図６】
2006333525.tif 000008
【図７】
2006333525.tif 000009
【図８】
2006333525.tif 000010
【図９】
2006333525.tif 000011
【図１０】
2006333525.tif 000012
【図１１】
2006333525.tif 000013
【図１２】
2006333525.tif 000014
【図１３】
2006333525.tif 000015
【図１４】
2006333525.tif 000016
【図１５】
2006333525.tif 000017
【図１６】
2006333525.tif 000018
【図１７】
2006333525.tif 000019
【図１８】
2006333525.tif 000020
【図１９】
2006333525.tif 000021
【図２０】
2006333525.tif 000022
【図２１】
2006333525.tif 000023
【図２２】
2006333525.tif 000024
【図２３】
2006333525.tif 000025